(57)【特許請求の範囲】
【請求項１】
本体下部に形成された機械室内に圧縮機及び電気品を設置した構造を備え、上記機械室に庫内側にくぼむ凹部を設け、上記凹部内に上記電気品を収納させ、上記電気品を収納させた上記凹部の断熱壁を、庫内底面に設置される容器と内箱でつくる冷気通路内に設けて上記電気品を庫内側の熱により冷却するようにしたことを特徴とする機械室構造。
【請求項２】
上記圧縮機の空気冷却を促進するために上記機械室に空気を取り入れる冷却用空気取入口と上記電気品を覆うカバーとを備え、この冷却用空気取入口に近づけた位置に、上記凹部を設けた請求項１に記載の機械室構造。
【発明の詳細な説明】
【０００１】
【発明の属する技術分野】
本発明は機械室内における電気品設置構造に関する。
【０００２】
【従来の技術】
従来のこの種構造を図４に於いて説明する。図に於いて、２９は冷凍庫本体。この冷凍庫本体２９は主に外板３０と内箱３１、発泡断熱材３２、扉３３、それに冷凍サイクルを構成する圧縮機３４、冷却器３５、冷気循環用送風機３６等により構成されている。３７は内箱３１内に形成された貯蔵庫内、３８はその内に設置された棚である。３９は霜取りタイマであり、圧縮機３４の積算運転時間により、冷却器３５についた霜を除霜するためのヒータ４０を入り切り作動させる。この霜取りタイマ３９は、タイマケース４１の中に収納され、冷凍庫本体２９を構成する外箱３０の背面板４２に取り付けられている。
【０００３】
尚、この種従来例には、例えば、特開昭６３−７００８５号公報がある。
【０００４】
【発明が解決しようとする課題】
この従来構造を有する冷凍庫に於いては、次のような問題点があった。
【０００５】
（１）近年、庫内の大容量化に伴い機械室の空間容積が狭くなってきている中、電気品（タイマ等）の設置場所がないため、機械室内に臨む断熱材中に埋め込むという手段を取った場合には、電気品の発熱により電気品の温度が使用温度範囲を越えてしまい、信頼性に欠けるという問題があった。
【０００６】
（２）また、機械室に電気品の設置スペースがあったとしても、今度は圧縮機の熱影響により電気品の温度が上昇し、使用温度範囲を越えてしまい信頼性に欠けるという問題があった。
【０００７】
（３）さらに上記をさけるために電気品（タイマ等）を冷凍庫本体の背面板等に取り付けた場合、製品の奥行き寸法が大幅にアップしてしまい、据え付け性が悪いという問題があった。
【０００８】
【課題を解決するための手段】
本発明はかかる問題点を解決すべくなされた。
【０００９】
即ち、本体下部に形成された機械室内に圧縮機及び電気品を設置した構造を備え、上記機械室に庫内側にくぼむ凹部を設け、上記凹部内に上記電気品を収納させ、上記電気品を収納させた上記凹部の断熱壁を、庫内底面に設置される容器と内箱でつくる冷気通路内に設けて上記電気品を庫内側の熱により冷却するようにした。また、圧縮機の空気冷却を促進するために上記機械室に空気を取り入れる冷却用空気取入口と上記電気品を覆うカバーとを備え、この冷却用空気取入口に近づけた位置に、上記凹部を設けた。
【００１０】
【発明の実施の形態】
以下、本発明の詳細を図に示す一実施例で説明する。
【００１１】
図１は本発明を備えた冷凍庫の縦断面図、図２は図１のＡ−Ａ断面図、図３は図１中のファンガードを除去した正面図である。図に於いて、１は冷凍庫本体。この冷凍庫本体１は庫内を通常−１８℃以下に保持し、冷凍食品等を長期間貯蔵しておくことが出来る。又、冷凍庫本体１は外郭を形成する外箱２、貯蔵庫内３を形成する内箱４、発泡断熱材５、扉６それに冷凍サイクルを構成する圧縮機７、冷却器８等より構成されている。９は貯蔵庫内３内に設置された棚板、１０は容器、１１は貯蔵庫内３の最下段部に設置された容器。容器１１は周囲に冷気通路１２を形成するよう設置されている。
【００１２】
１３は先の冷却器８の上部に設置された冷気強制循環用送風機、１４は断熱材（例えばスチロフォーム材）等よりなる仕切板、１５はファンガードである。そして、先の送風機１３は仕切板１４が形成するマウスリング部１４ａに臨み、冷却器８で冷却された冷気をファンガード１５が形成する吹出口１５ａ、１５ｂ等を通し、貯蔵庫内３に吹き出し貯蔵庫内３を設定温度迄に冷却する。１６は冷気戻り口。この戻り口１６は仕切板１４、ファンガード１５の下部に設けられている。１７は仕切板１４とファンガード１５との間に形成されたダクト。このダクト１７は図３にも示すように貯蔵庫内３の両側壁部に近接して設けられており、貯蔵庫内３の背面両側より貯蔵庫内３の収納食品を包み込むよう冷却する。１８は棚板９（容器１０を含む）間にダクト内に送られてくる冷気を吹き出す冷気吹出口である。即ち、容器１０を含むそれぞれの棚板が作る室はそれぞれの室に向かって吹き出されてくる冷気により、確実に冷却される。
【００１３】
次に容器１１部の冷却について説明する。
【００１４】
容器１０を含むそれぞれの棚板が作る室を通過してきた冷気は、貯蔵室３の最下段である容器１１側まで落とされるが、容器１１の底部と内箱底部４ａ、及び容器１１の背面と内箱背面部４ｂとの間にそれぞれ形成された冷気通路１２を通る間に容器１１を十分に冷却し、冷気戻り口１６に戻って行く。この時容器１１の周囲に設けられた冷気通路１２がないと最下段まで冷気は降下せず容器１１を冷却することはなく直接冷気戻り口１６に吸引されてしまう。換言すると、冷気通路１２は容器１１を冷却するための重要な役割をになっている。１９は底板であり、機械室２０の上面及び前面を形成し、また内箱４、発泡断熱材５によって断熱壁２１を構成するもの。また、２２は圧縮機取付け板であり、機械室２０の下面を構成するが、圧縮機７の空気冷却を矢印のように促進させるために、機械室２０の前面となる断熱壁２１ａとの間に、圧縮機取付け板２２の全幅方向に渡り空気取入口２７を設け、間隔Ｂを、例えば２０〜１００ｍｍ程度取るようにした。２３は霜取りタイマであり、圧縮機７の積算運転時間により冷却器８についた霜を除霜するためのヒータ２４を入り切り作動させる。この霜取りタイマ２３は、断熱壁２１ａ中に庫内側にくぼむようにして作られた凹部断熱壁２１ｂを設け、この中に一般的に金属やプラスチック製にて作られたタイマケース２５と伴に収納されている。このタイマケース２５は機械室２０側へ出張らせると、圧縮機７の配管作業や電気品２６の配線作業時に邪魔になるため、断熱壁２１ａに埋め込まれた形にて配置されている。また、２８は霜取りタイマ２３を密閉するためのカバーである。従って、霜取りタイマ２３は凹部断熱壁２１ｂに埋め込まれた形となり、その断熱効果により霜取りタイマ２３の温度が使用温度範囲を越えてしまう。これを改善するため凹部断熱壁２１ｂの壁厚は他の部位よりも薄くすることにより、霜取りタイマ２３の温度を庫内側の熱により冷却し、信頼性を確保するようにした。この時、凹部断熱壁２１ｂの壁厚は当然タイマケース２４内に結露が発生しない壁厚とする。また、凹部断熱壁２１ｂは図２に示すように、貯蔵庫内３の最下段に設置された容器１１と内箱背面部４ｂとの間に形成された冷気通路１２内に配置されたことにより、冷気通路となっていた貯蔵庫内３の内容積上の無効スペースを容器１１の冷却を損なわずに有効利用できるようにした。この時、凹部断熱壁２１ｂが冷気通路１２よりも貯蔵庫内３側へ張り出すと、容器１１と当たり、結局容器１１を小さくせざるを得ない状態となるため、容器１１の内容積減はもとより、貯蔵庫内３の無効スペースが大幅に増えてしまう。
【００１５】
次にもう一つの霜取りタイマ２３の温度上昇防止について説明する。
【００１６】
図１、図２に於いて、空気取入口２７より機械室２０に入った空気は矢印のように上昇するに従い圧縮機７の熱影響を受け、その温度が上昇する。一方、霜取りタイマ２３は図示はしていないが、ねじ等により直接カバー２８に取り付けられているため互いに熱影響を受けやすい構造となっている。換言すると霜取りタイマ２３は、貯蔵庫内３の熱によって冷却され、その温度上昇をくい止めるばかりでなく、圧縮機７の熱が熱伝導によりカバー２８の近辺の空気温度を上昇させないように、凹部断熱壁２１ｂを空気取入口２７に近づけた位置、例えば機械室高さＨの略１／２以下に配置させ、空気取入口２７から取り入れた空気が圧縮機７の熱影響を受けにくくした。これにより、カバー２８は空気取入口２７より取り入れた圧縮機の悪影響を受けていない空気による空気対流により冷却され、ひいては霜取りタイマ２３の温度上昇を防げるようにした。
【００１７】
【発明の効果】
本発明は機械室に庫内側へくぼむ凹部を設け、その凹部内に電気品を収納させて電気品を庫内側の熱により冷却できるため、電気品の信頼性を確保できるばかりでなく、据え付け性を改善できる。また、電気品を収納させた凹部を庫内底面に設置される容器と内箱で作る冷気通路内に設けたことにより、無効スペースを有効に活用して容器の内容積を最大限に確保することができる。
【００１８】
また、圧縮機の冷却用空気取入口に近づけた位置に、例えば機械室の高さの略１／２以下に電気品を収納させた凹部を設けたことにより、外気による空気冷却ができるため、電気品の信頼性を維持できるようにした。
【図面の簡単な説明】
【図１】本発明を備えた冷凍庫の縦断面図。
【図２】図１のＡ−Ａ断面図。
【図３】図１中のファンガードを除去した正面図。
【図４】従来構造を備えた冷凍庫の縦断面図。
【符号の説明】
１…冷蔵庫本体、
２…外箱、
３…貯蔵庫内、
４（４ａ，４ｂ）…内箱、
５…発泡断熱材、
６…扉、
７…圧縮機、
８…冷却器、
９…棚板、
１０，１１…容器、
１２…冷気通路、
１３…冷気循環用送風機、
１４…仕切板、
１４ａ…マウスリング部、
１５…ファンガード、
１５ａ，１５ｂ…吹出口、
１６…冷気戻り口、
１７…ダクト、
１８…冷気吹出口、
１９…底板、
２０…機械室、
２１，２１ａ…断熱壁、
２１ｂ…凹部断熱壁、
２２…圧縮機取付け板、
２３…電取りタイマ、
２４…ヒータ、
２５…タイマケース、
２６…電気品、
２７…空気取入れ口、
２８…カバー。
【図１】
0003743086.tif 000002
【図２】
0003743086.tif 000003
【図３】
0003743086.tif 000004
【図４】
0003743086.tif 000005